(57)【要約】【課題】複数種の面材を共通の間柱に取付けることが可能なバルコニーを提供する。【解決手段】建物躯体１に取付けられる水平面状のバルコニー本体１１に複数の間柱１２を立設し、複数の間柱１２に対して面材４０，５０を取付けてなり、面材は厚み方向寸法が異なる複数種の面材を選択可能とされ、面材の間柱に対する固定面４０ｂ，５０ｂには、面材の厚み方向寸法毎に異なる見込寸法を有するスペーサー部材４１，５１が設けられ、スペーサー部材４１，５１を介して間柱１２に固定された面材４０，５０は、間柱のうちバルコニー本体１１の外方に向かう面である外側面に対する外面位置が、面材の種類にかかわらず略同一となる。【選択図】図１１
2014125784.tif 000002
【特許請求の範囲】
【請求項１】
建物躯体に取付けられる水平面状のバルコニー本体に複数の間柱を立設し、該複数の間
柱に対して面材を取付けてなるバルコニーにおいて、
前記面材は厚み方向寸法が異なる複数種の面材を選択可能とされ、前記面材の間柱に対
する固定面には、前記面材の厚み方向寸法毎に異なる見込寸法を有するスペーサー部材が
設けられ、該スペーサー部材を介して前記間柱に固定された前記面材は、前記間柱のうち
前記バルコニー本体の外方に向かう面である外側面に対する外面位置が、面材の種類にか
かわらず略同一となることを特徴とするバルコニー。
【請求項２】
前記複数の間柱に複数種の面材を混在して取付け、各面材の外面が略面一状とされてな
ることを特徴とする請求項１記載のバルコニー。
【請求項３】
前記間柱は、前記外側面の両端から前記バルコニー本体の内方に向かう面である側面を
有し、前記スペーサー部材は、前記間柱の側面に対し当接固定される間柱固定部を有する
ことを特徴とする請求項１または２記載のバルコニー。
【請求項４】
前記スペーサー部材は、前記間柱固定部から前記バルコニー本体の外方に向かう面材固
定部を有し、該面材固定部が前記面材の種類毎に異なる見込寸法を有することを特徴とす
る請求項３記載のバルコニー。
【請求項５】
前記面材の端部には端部スペーサー部材が設けられ、該端部スペーサー部材は前記間柱
の一方の側面に当接固定される間柱固定部と、前記面材の端部に固定される面材固定部と
を有することを特徴とする請求項１〜４のいずれか１項に記載のバルコニー。
【発明の詳細な説明】
【技術分野】
【０００１】
本発明は、建物の外側に取付けられる付設物としてのバルコニーに関し、特にバルコニ
ー本体に立設された間柱間に２種類以上の面材を配設することのできるバルコニーに関す
る。
【背景技術】
【０００２】
住宅等の建物の外部に、付設物としてバルコニーが設けられることがある。バルコニー
は、床面を構成するバルコニー本体が取付具を介して建物に対して固定され、バルコニー
本体の周縁部には間柱が所定間隔毎に立設され、側面を構成する面材が間柱に対して取付
けられて構成される。このように面材が間柱に取付けられるバルコニーとしては、例えば
特許文献１に挙げるようなものがある。
【先行技術文献】
【特許文献】
【０００３】
【特許文献１】特開２０１０−１３９１８号公報
【発明の概要】
【発明が解決しようとする課題】
【０００４】
面材としては、縦格子状のものや横格子状のもの、小孔が多数窄設されたパネルを有す
るもの、あるいはアクリル板を備えるものなど、様々なデザインを有する面材が用意され
る。しかし、従来の面材は、間柱に対する取付構造や寸法がそれぞれ異なっていたため、
面材毎に異なる間柱を用意する必要があった。このため、部品の種類が多くなると共に、
１つのバルコニーに複数種の面材を組み合わせて意匠性を高くすることも困難であった。
【０００５】
本発明は前記課題を鑑みてなされたものであり、複数種の面材を共通の間柱に取付ける
ことが可能なバルコニーを提供することを目的とする。
【課題を解決するための手段】
【０００６】
前記課題を解決するため、請求項１の発明に係るバルコニーは、建物躯体に取付けられ
る水平面状のバルコニー本体に複数の間柱を立設し、該複数の間柱に対して面材を取付け
てなるバルコニーにおいて、
前記面材は厚み方向寸法が異なる複数種の面材を選択可能とされ、前記面材の間柱に対
する固定面には、前記面材の厚み方向寸法毎に異なる見込寸法を有するスペーサー部材が
設けられ、該スペーサー部材を介して前記間柱に固定された前記面材は、前記間柱のうち
前記バルコニー本体の外方に向かう面である外側面に対する外面位置が、面材の種類にか
かわらず略同一となることを特徴として構成されている。
【０００７】
請求項１に係る発明によれば、面材の種類にかかわらず間柱に対する固定構造を共通化
して、共通の間柱に対して複数種から選択した任意の面材を固定することができる。
【０００８】
また、請求項２の発明に係るバルコニーは、前記複数の間柱に複数種の面材を混在して
取付け、各面材の外面が略面一状とされてなることを特徴として構成されている。
【０００９】
請求項２に係る発明によれば、複数の面材を組み合わせて意匠性を向上させた場合に、
外面を面一としてデザイン的な統一性を持たせることができる。
【００１０】
さらに、請求項３の発明に係るバルコニーは、前記間柱は、前記外側面の両端から前記
バルコニー本体の内方に向かう面である側面を有し、前記スペーサー部材は、前記間柱の
側面に対し当接固定される間柱固定部を有することを特徴として構成されている。
【００１１】
請求項３に係る発明によれば、スペーサー部材を間柱の両側から固定でき、安定的かつ
強固に面材を固定することができる。
【００１２】
さらにまた、請求項４の発明に係るバルコニーは、前記スペーサー部材は、前記間柱固
定部から前記バルコニー本体の外方に向かう面材固定部を有し、該面材固定部が前記面材
の種類毎に異なる見込寸法を有することを特徴として構成されている。
【００１３】
請求項４に係る発明によれば、面材固定部の見込寸法を変えるだけで、複数種の面材に
対応したスペーサー部材を容易に形成することができる。
【００１４】
そして、請求項５の発明に係るバルコニーは、前記面材の端部には端部スペーサー部材
が設けられ、該端部スペーサー部材は前記間柱の一方の側面に当接固定される間柱固定部
と、前記面材の端部に固定される面材固定部とを有することを特徴として構成されている
。
【００１５】
請求項５に係る発明によれば、異なる種類の面材同士が隣り合う場合にも、それぞれの
面材に合わせた見込寸法を有する端部スペーサー部材を用意することにより、両者の外面
を略面一状とすることができる。
【発明の効果】
【００１６】
本発明に係るバルコニーによれば、複数種の面材を共通の間柱に取付けることが可能と
なり、１つのバルコニーに複数種の面材を取付けることもできて、意匠性を高くすること
ができる。
【図面の簡単な説明】
【００１７】
【図１】本実施形態のバルコニーの断面図である。
【図２】図１と直交する角度で切断したバルコニーの断面図である。
【図３】バルコニー本体の分解斜視図である。
【図４】バルコニー本体に対する面材の取付状態を表した分解斜視図である。
【図５】間柱と面材の固定部分における横断面図である。
【図６】図５のうち右側の間柱に対する面材の分解図である。
【図７】縦格子の面材を選択した場合の、間柱と面材の固定部分における横断面図である。
【図８】複数種の面材を混在して取付けた第１の形態のバルコニーの正面図及び側面図である。
【図９】図８のバルコニーのうち一側部の横断面図である。
【図１０】複数種の面材を混在して取付けた第２の形態のバルコニーの正面図及び側面図である。
【図１１】図１０のバルコニーのうち一側部の横断面図である。
【図１２】複数種の面材を混在して取付けた第３の形態のバルコニーの正面図及び側面図である。
【図１３】図１２のバルコニーのうち一側部の横断面図である。
【発明を実施するための形態】
【００１８】
本発明の実施形態について図面に沿って詳細に説明する。図１には本実施形態のバルコ
ニーの断面図を、図２には図１と直交する角度で切断したバルコニーの断面図を、それぞ
れ示している。図１は、バルコニーを建物躯体１の面と平行な面で切断した断面図であり
、図２は、バルコニーを建物躯体１の面に対し垂直な面で切断した断面図である。
【００１９】
本実施形態のバルコニーは、建物の付設物として設けられるものであって、建物躯体１
を構成する柱２及び梁３に対して固定される取付具１０と、取付具１０に対して取付固定
される水平面状のバルコニー本体１１と、バルコニー本体１１の周縁部に所定間隔毎に立
設される複数の間柱１２と、間柱１２の外方を向く面に対して固定される複数の面材１３
とを有して構成される。以下、バルコニー本体１１のうち柱２及び梁３によって形成され
る建物躯体１の面側を後面側と、建物躯体１の面と反対側を前面側と、前面と後面の間の
両側を側面側と、それぞれ称する。なお、図１及び図２において、間柱１２は実際よりも
短く描かれている。
【００２０】
図１に示すように、取付具１０は、バルコニーの両端近傍に配置される。両側の取付具
１０には、それぞれ取付具１０の外形状よりも一回り大きい内形状を有した梁部材３０が
挿入される。梁部材３０は、後面側から前面側に向かう方向に伸び、バルコニー本体１１
を構成すると共に、その上部に設けられる床材３７の荷重を支えている。
【００２１】
バルコニー本体１１は、梁部材３０と床材３７の他、両側部をそれぞれ覆うように設け
られる妻梁部材３１と、梁部材３０間に所定間隔で配置される根太部材３２と、バルコニ
ー本体１１のうち建物躯体側と反対側の面を構成する前桁部材３３とを有している。バル
コニー本体１１を構成する床材３７は、建物躯体の面と両側の妻梁部材３１，３１及び前
桁部材３３に囲まれた方形状の領域を覆うように設けられる。床材３７の上面には、図２
に示すように、バルコニー本体１１の上面を構成する表面材３８がさらに設けられる。
【００２２】
バルコニー本体１１を構成する梁部材３０と根太部材３２は、図１に示すように、それ
ぞれ断面略方形状に形成されている。バルコニー本体１１の両側面にそれぞれ設けられる
妻梁部材３１は、バルコニー本体１１の側面となる側面構成部３１ａと、側面構成部３１
ａの内側に設けられる凹状の樋部３１ｃとを有している。樋部３１ｃは、床材３７の側部
より下方に配置されており、床材３７からの水を受けることができる。妻梁部材３１は、
後面側から前面側に向かってやや下方傾斜状となるように取付けられるため、樋部３１ｃ
で受けた水は前桁部材３３側に向かって流れていく。
【００２３】
図２に示すように、前桁部材３３は、バルコニー本体１１の前面となる前面構成部３３
ａと、前面構成部３３ａの下部室内側に設けられる凹状の樋部３３ｃとを有している。前
桁部材３３の樋部３３ｃは、妻梁部材３１の樋部３１ｃと連続すると共に、配水管３９が
接続されている。妻梁部材３１の樋部３１ｃからの水は前桁部材３３の樋部３３ｃに流れ
込み、さらに前桁部材３３の樋部３３ｃから配水管３９を介してバルコニー外部に排水さ
れる。
【００２４】
間柱１２は、妻梁部材３１の上面３１ｂまたは前桁部材３３の上面３３ｂに対してネジ
止め固着されていて、バルコニー本体１１の妻梁部材３１が設けられる両側面側辺と前桁
部材３３が設けられる前面側辺において、所定間隔毎に間柱１２が配置される。なお、図
１及び図２においては、間柱１２に対して固定される面材１３は省略している。
【００２５】
図３には、バルコニー本体１１の分解斜視図を示している。２本の梁部材３０，３０は
、それぞれ後面側から前面側に向かう方向に沿って配置されている。図中奥側の梁部材３
０は、取付具１０に対する挿入途中の状態が表されている。両側の梁部材３０，３０間に
設けられる複数の根太部材３２は、所定間隔毎に梁部材３０と平行となるように配置され
、一端面が建物躯体に、他端面が前桁部材３３に、それぞれ固定される。建物躯体側端部
には、両側の梁部材３０，３０間を渡すように根太掛けカバー３５が設けられ、根太部材
３２の建物躯体側端部の上面を覆う。
【００２６】
バルコニー本体１１両側の妻梁部材３１も、それぞれ梁部材３０と平行となるように配
置される。前桁部材３３は、梁部材３０と直交する方向に沿うように配置されて、後面側
の面に梁部材３０と妻梁部材３１及び根太部材３２が固定される。そして、両側の妻梁部
材３１と前桁部材３３によって建物躯体の外方に形成された領域に、床材３７が載置され
る。
【００２７】
図４には、バルコニー本体１１に対する面材１３の取付状態を表した分解斜視図を示し
ている。バルコニー本体１１を形成したら、その上面には前述のように複数の間柱１２が
立設される。間柱１２の上端部を渡すように、手摺１７も取付けられる。そして、間柱１
２の外方から面材１３が取付固定される。
【００２８】
面材１３は、隣り合う間柱１２間の距離と同じ幅かそれよりも幅広となるように形成さ
れている。面材１３はバルコニー本体１１の外方から間柱１２に対して取付けられ、外面
１３ａがバルコニー本体１１の外方に露出する。間柱１２に対して取付けられる取付面１
３ｂには、上下方向に沿って断面略コ字状のスペーサー部材１４が設けられており、この
スペーサー部材１４が間柱１２に対して当接し、ネジ止め固定される。
【００２９】
面材１３の間柱１２に対する固定構造について詳細に説明する。図５には、間柱１２と
面材１３の固定部分における横断面図を、図６には、図５のうち右側の間柱１２に対する
面材１３の分解図を、それぞれ示している。図４〜６に示されているのは、横格子の面材
である。横格子の面材は、横方向に伸びる複数の横材１６を縦方向に複数配置してなるも
のである。
【００３０】
間柱１２は、バルコニー本体１１の外方に向かう外側面１２ａを有し、その両端からバ
ルコニー本体１１の内方に向かう側面１２ｂ，１２ｂを有している。側面１２ｂは、中間
位置に段部１２ｃを有し、これによって間柱１２は外側面１２ａ側が幅広で、段部１２ｃ
よりも外側面１２ａから遠い側は幅狭に形成されている。
【００３１】
面材１３は、前述のようにバルコニー本体１１の外方を向く外面１３ａの反対側の面が
、間柱１２に対する取付面１３ｂとなっており、取付面１３ｂには断面略コ字状のスペー
サー部材１４が固定されている。図５には、面材１３の左右中間位置に設けられるスペー
サー部材１４と、面材１３の左右端部位置に設けられる端部スペーサー部材１５，１５が
表されている。
【００３２】
面材１３の左右中間位置に設けられるスペーサー部材１４は、間柱１２の側面１２ｂの
うち段部１２ｃより外側面１２ａ側の部分に対して当接しネジ止め固定される間柱固定部
１４ａと、間柱固定部１４ａより外方側を構成し面材１３の取付面１３ｂに対して当接し
ネジ止め固定される面材固定部１４ｂとを有して構成されている。間柱固定部１４ａの間
柱１２側の面には、リブ１４ｃが形成されており、このリブ１４ｃが間柱１２の外側面１
２ａに当接することで、スペーサー部材１４が間柱１２に対し位置決めされる。
【００３３】
面材１３の左右端部位置に設けられる端部スペーサー部材１５，１５は、隣り合う左右
の面材１３，１３の各端部に取付けられている。各端部スペーサー部材１５は、間柱１２
の側面１２ｂのうち段部１２ｃより外側面１２ａ側の部分に対して当接しネジ止め固定さ
れる間柱固定部１５ａと、間柱固定部１５ａより外方側を構成し面材１３の取付面１３ｂ
に対して当接しネジ止め固定される面材固定部１５ｂとを有し、さらに面材１３の端面に
当接する端面部１５ｄが、面材固定部１５ｂより外方に突出している。また、リブ１５ｃ
は面材固定部１５ｂに形成され、外方側から間柱１２の外側面１２ａに対して当接し、端
部スペーサー部材１５の位置決めをなすことができる。
【００３４】
面材としては、別の種類を選択することもできる。図７には、縦格子の面材４０を選択
した場合の、間柱１２と面材４０の固定部分における横断面図を示している。縦格子の面
材は、横方向に伸びる横材４３を上下方向所定間隔毎に配置し、横材４３の外方に向かう
面に、縦方向に伸びる縦材４４を横方向所定間隔毎に配置してなるものである。
【００３５】
図７において間柱１２は図５と同じ構成である。すなわち、面材の種類が異なっても、
共通した間柱１２を用いている。面材４０のスペーサー部材４１及び端部スペーサー部材
４２も、間柱固定部４１ａ，４２ａの部分は前述のものと同じ構成となっている。一方、
図７のスペーサー部材４１及び端部スペーサー部材４２は、面材４０に対する面材固定部
４１ｂ，４２ｂの見込寸法が、図５のものとは異なっている。
【００３６】
図５に示した横格子の面材１３は、横材１６の厚み分だけの厚み方向寸法を有している
。これに対し、図７に示した縦格子の面材４０は、横材４３の厚みと縦材４４の厚みを合
わせた厚み方向寸法を有し、横格子の面材よりも大きい厚み方向寸法を有している。一方
で、図７のスペーサー部材４１及び端部スペーサー部材４２の面材固定部４１ｂ，４２ｂ
は、図５のスペーサー部材１４及び端部スペーサー部材１５の面材固定部１４ｂ，１５ｂ
よりも小さい見込寸法を有している。
【００３７】
間柱１２の外側面１２ａから面材の外面までの距離は、面材固定部の見込寸法と面材の
厚み方向寸法とを合わせたものであり、スペーサー部材の面材固定部の見込寸法は、間柱
１２の外側面１２ａから面材の外面までの距離が、面材の種類によらず略同一となるよう
に設定されている。これにより、面材の種類が異なっても面材の外面の位置を一定にする
ことができる。
【００３８】
本実施形態のバルコニーは、このように複数種の面材が選択可能であるにも関わらず、
共通の間柱１２を用いることができると共に、各面材の外面の位置が一定であるので、複
数種の面材を混在して間柱１２に対し取付けることができる。図８には、複数種の面材４
０，５０を混在して取付けた第１の形態のバルコニーの正面図（図８（ａ））及び側面図
（図８（ｂ））を示している。
【００３９】
図８に示すように、本形態のバルコニーに用いられている面材は、正面側の面材５０と
側面側の面材４０とで異なっている。正面側の面材５０と側面側の面材４０は、いずれも
縦格子の面材であるが、正面側の面材５０は、幅広の縦材５４を横方向に複数配置し、か
つ縦材５４間の隙間が小さいのに対して、側面側の面材４０は、幅狭の縦材４４を横方向
に複数配置し、かつ縦材４４間の隙間が正面側よりも大きくなっている。このようにデザ
インの異なる面材を１つのバルコニーに併存させている。
【００４０】
図９には、図８のバルコニーのうち一側部の横断面図を示している。この図に示すよう
に、バルコニーの正面側に配置された間柱１２と、側面側に配置された間柱１２は、同じ
ものである。正面側の面材５０が有する横材５３と側面側の面材４０が有する横材４３は
同じものであり、正面側の面材５０が有する縦材５４と側面側の面材４０が有する縦材４
４は、幅及び形状は異なるものの略同じ厚み方向寸法を有している。このため、正面側の
面材５０と側面側の面材４０とでは、厚み方向寸法が略同じとなっている。したがって、
正面側の面材５０が有するスペーサー部材５１及び端部スペーサー部材５２と側面側の面
材４０が有するスペーサー部材４１は、同じ厚み方向寸法を有している。
【００４１】
正面側の面材５０と側面側の面材４０において、間柱１２の外側面１２ａから外面４０
ａ，５０ａまでの距離はいずれも略同じとなっている。また、面材４０，５０にそれぞれ
スペーサー部材４１，５１、端部スペーサー部材５２を設けていることで、共通の間柱１
２に対して異なる種類の面材を取付可能となっている。その上で、異なる種類の面材を１
つのバルコニーに混在させることにより、意匠性を向上させることができる。
【００４２】
図１０には、複数種の面材４０，５０を混在して取付けた第２の形態のバルコニーの正
面図（図１０（ａ））及び側面図（図１０（ｂ））を示している。図１０に示すように、
本形態では、正面側の中央部に面材４０を配置し、正面側の両側部及び側面側に面材５０
を配置している。ここで面材４０，５０は、第１の形態のバルコニーに用いられている面
材４０，５０と同じものである。
【００４３】
図１１には、図１０のバルコニーのうち一側部の横断面図を示している。本形態におい
ても、バルコニーの正面側に配置された間柱１２と、側面側に配置された間柱１２は、同
じものである。バルコニーの正面側では、異なる面材４０，５０が隣り合っているが、面
材４０の端部に設けられる端部スペーサー部材４２と面材５０の端部に設けられる端部ス
ペーサー部材５２とで、各面材４０，５０の外面４０ａ，５０ａの位置が略面一となるの
で、デザイン的に違和感なく両者を併存させることができる。これにより、バルコニーの
意匠性を高くすることができる。
【００４４】
図１２には、複数種の面材１３，４０を混在して取付けた第３の形態のバルコニーの正
面図（図１２（ａ））及び側面図（図１２（ｂ））を示している。図１２に示すように、
本形態では、正面側の中央部に縦格子の面材４０を配置し、正面側の両側部及び側面側に
横格子の面材１３を配置している。横格子の面材１３は、図４及び図５に示されているも
のと同じである。
【００４５】
図１３には、図１２のバルコニーのうち一側部の横断面図を示している。本形態におい
ても、バルコニーの正面側に配置された間柱１２と、側面側に配置された間柱１２は、同
じものである。本形態では、横格子の面材１３は縦格子の面材４０よりも厚み方向寸法が
小さいが、横格子の面材１３に設けられるスペーサー部材１４及び端部スペーサー部材１
５の見込寸法が大きく、縦格子の面材４０に設けられるスペーサー部材４１及び端部スペ
ーサー部材４２の見込方向が小さいため、バルコニーの正面側において、横格子の面材１
３の外面１３ａと縦格子の面材４０の外面４０とが、略面一状となっている。これによっ
て、デザイン的に違和感なく両者を併存させることができ、バルコニーの意匠性を高くす
ることができる。
【００４６】
これまで説明したように、面材の取付面側に間柱１２に対する固定のためのスペーサー
部材や端部スペーサー部材を設け、それらの見込寸法を面材の種類毎に異ならせることで
、間柱１２に取付けられた面材の外面位置を略同一とすると共に、共通の間柱１２に複数
種の面材を固定可能とし、さらには１つのバルコニーに複数種の面材を混在させて意匠性
を高くすることもできる。したがって、バルコニーには１種類の面材のみを配置してもよ
いし、２種類以上の面材を混在させて配置してもよく、またその組み合わせも自由に設定
できる。
【００４７】
面材の種類として、本実施形態では横格子の面材を１種類と、縦格子の面材を２種類示
したが、これ以外の種類の面材であっても、その厚み方向寸法に応じたスペーサー部材や
端部スペーサー部材を設けることで、同様に共通の間柱１２に取付けることができるよう
になる。
【００４８】
以上、本発明の実施形態について説明したが、本発明の適用は本実施形態には限られず
、その技術的思想の範囲内において様々に適用されうるものである。
【符号の説明】
【００４９】
１    建物躯体
１０    取付具
１１    バルコニー本体
１２    間柱
１２ａ  外側面
１２ｂ  側面
１３    面材
１３ａ  外面
１３ｂ  取付面
１４    スペーサー部材
１４ａ  間柱固定部
１４ｂ  面材固定部
１５    端部スペーサー部材
１５ａ  間柱固定部
１５ｂ  面材固定部
１６    横材
４０    面材
４０ａ  外面
４０ｂ  取付面
４１    スペーサー部材
４１ａ  間柱固定部
４１ｂ  面材固定部
４２    端部スペーサー部材
４２ａ  間柱固定部
４２ｂ  面材固定部
４３    横材
４４    縦材
５０    面材
５０ａ  外面
５０ｂ  取付面
５１    スペーサー部材
５１ａ  間柱固定部
５１ｂ  面材固定部
５２    端部スペーサー部材
５２ａ  間柱固定部
５２ｂ  面材固定部
５３    横材
５４    縦材
【図１】
2014125784.tif 000003
【図２】
2014125784.tif 000004
【図３】
2014125784.tif 000005
【図４】
2014125784.tif 000006
【図５】
2014125784.tif 000007
【図６】
2014125784.tif 000008
【図７】
2014125784.tif 000009
【図８】
2014125784.tif 000010
【図９】
2014125784.tif 000011
【図１０】
2014125784.tif 000012
【図１１】
2014125784.tif 000013
【図１２】
2014125784.tif 000014
【図１３】
2014125784.tif 000015